(57)【要約】【課題】  軸筒へのグリップ部材の挿着や位置あわせが容易であり、弾性筒体の指の当たりが堅いという不具合のない筆記具のグリップ取付け構造を提供可能とする。【解決手段】  ゴム等の軟質材料からなるグリップ部材を軸筒の握り部に被嵌してなる筆記具のグリップ取付け構造であって、軸筒は、握り部後端の段部の一箇所に凸部が形成され、その凸部と同一線上で前方に向かって握り部軸面にリブが形成されてなり、一方、グリップ部材は、後端の一箇所に切欠状の凹部が形成され、その凹部の前方に向かって内孔周面の外方に溝部が形成されると共に、溝部が位置するグリップ部材の外周に周囲の肉厚と略同等の肉厚となるように凸線条が形成されなり、軸筒握り部後端の凸部に対してグリップ部材の凹部を向き合わせた状態でグリップ部材を軸筒に挿着し、軸筒のリブにグリップ部材の溝部が嵌挿されると共に軸筒の凸部にグリップ部材の凹部が係合してなる。【選択図】      図１
2005074816.tif 000002
【特許請求の範囲】
【請求項１】
シリコンゴムやＥＰＤＭ、ＮＢＲなどの軟質材料からなるグリップ部材を軸筒の握り部に被嵌してなる筆記具のグリップ取付け構造であって、軸筒は、握り部後端の段部の一箇所に凸部が形成され、その凸部と同一線上で前方に向かって握り部軸面にリブが形成されてなり、一方、グリップ部材は、後端の一箇所に切欠状の凹部が形成され、その凹部の前方に向かって内孔周面の外方に溝部が形成されると共に、溝部が位置するグリップ部材の外周に周囲の肉厚と略同等の肉厚となるように凸線条が形成されなり、軸筒握り部後端の凸部に対してグリップ部材の凹部を向き合わせた状態でグリップ部材を軸筒に挿着し、軸筒のリブにグリップ部材の溝部が嵌挿されると共に軸筒の凸部にグリップ部材の凹部が係合してなることを特徴とする筆記具のグリップ取付け構造。
【請求項２】
軸筒のリブの前方に周状の鍔部が形成され、また、グリップ部材の溝部の前方で内孔を適宜拡径してグリップ部材の前端近傍の内孔に段部が形成されて、軸筒のリブにグリップ部材の溝部が嵌挿されて軸筒の凸部にグリップ部材の凹部が係合した際に、軸筒の鍔部後端にグリップ部材の段部が当接した状態で軸筒の握り部に対してグリップ部材が抜け止めされてなる請求項１に記載の筆記具のグリップ取付け構造。
【発明の詳細な説明】
【技術分野】
【０００１】
本発明は、滑り止め用のグリップ部材を備えた筆記具に於けるグリップ取付け構造の改良に関する。
【背景技術】
【０００２】
【特許文献１】実開平７−７９８５号公報  従来、筆記具では長時間筆記をする場合などに握り部が滑ったり、指が痛くなったりすることを解消するために握り部にシリコンゴムやＥＰＤＭ、ＮＢＲなどの軟質材料を被嵌した筆記具が知られている。また、グリップ部材は一般的に軟質性のために取り扱いにくく軸筒に被嵌するのに手間がかかる問題やグリップ部材に回転力が係るとグリップ部材がねじれ変形する問題が存在する。また、グリップ部材の外形が異形であったり、グリップ部材の外面に飾りや模様、文字表示などあった場合に相互間の位置あわせに手間取る問題がある。
【０００３】
実開平７−７９８５号公報には、筆記具本体の先端側の指当部の外周面に突縁ないし凹入縁を、ゴム等の弾性素材より成る弾性筒体の内周面に凹入縁ないし突縁を、少くもそれぞれの軸線方向に沿わせて部分的に設け、指当部の凹入縁ないし突縁を弾性筒体の突縁ないし凹入縁に係合して弾性筒体に前記指当部を挾入した、筆記具の滑り止め装置が示されている。これにより、グリップ部材に回転力が係るとグリップ部材がねじれ変形する問題は解決されるが、グリップ部材の外形が異形であったり、グリップ部材の外面に飾りや模様、文字表示などあった場合に相互間の位置あわせに手間取る問題は解決されない。
また、弾性筒体の内周面に突縁を設け、筆記具本体の外周面に凹入縁を設けた場合には相互間の挿着がしずらく、弾性筒体の内周面に凹入縁を設け、筆記具本体の外周面に突縁を設けた場合には相互間の挿着はしやすくなるが、突縁が挿入する部位の弾性筒体の肉厚が薄くなるために指の当たりが堅いという不具合が存在する。
【発明の開示】
【発明が解決しようとする課題】
【０００４】
本発明の主たる課題は、シリコンゴムやＥＰＤＭ、ＮＢＲなどの軟質材料を軸筒の握り部に被嵌してなる筆記具のグリップ取付け構造であって、グリップ部材の外形が異形であったり、グリップ部材の外面に飾りや模様、文字表示などあった場合でも軸筒へのグリップ部材の挿着や位置あわせが容易であり、弾性筒体の指の当たりが堅いという不具合のない筆記具のグリップ取付け構造を提供可能とする。
また、筆記具の組立性の向上やデザイン性の強調を可能とする。
【課題を解決するための手段】
【０００５】
本発明は、上記課題を達成する為に以下の構成を有する。
請求項１に記載の発明に係る筆記具のグリップ取付け構造は、シリコンゴムやＥＰＤＭ、ＮＢＲなどの軟質材料からなるグリップ部材を軸筒の握り部に被嵌してなる筆記具のグリップ取付け構造であって、軸筒は、握り部後端の段部の一箇所に凸部が形成され、その凸部と同一線上で前方に向かって握り部軸面にリブが形成されてなり、一方、グリップ部材は、後端の一箇所に切欠状の凹部が形成され、その凹部の前方に向かって内孔周面の外方に溝部が形成されると共に、溝部が位置するグリップ部材の外周に周囲の肉厚と略同等の肉厚となるように凸線条が形成されなり、軸筒握り部後端の凸部に対してグリップ部材の凹部を向き合わせた状態でグリップ部材を軸筒に挿着し、軸筒のリブにグリップ部材の溝部が嵌挿されると共に軸筒の凸部にグリップ部材の凹部が係合してなる。
【０００６】
請求項２に記載の発明に係る筆記具のグリップ取付け構造は、請求項１に記載の筆記具のグリップ取付け構造に於いて、軸筒のリブの前方に周状の鍔部が形成され、また、グリップ部材の溝部の前方で内孔を適宜拡径してグリップ部材の前端近傍の内孔に段部が形成されて、軸筒のリブにグリップ部材の溝部が嵌挿されて軸筒の凸部にグリップ部材の凹部が係合した際に、軸筒の鍔部後端にグリップ部材の段部が当接した状態で軸筒の握り部に対してグリップ部材が抜け止めされてなる。
【発明の効果】
【０００７】
本発明は、軸筒の握り部後端の凸部に対してグリップ部材の凹部を向き合わせた状態でグリップ部材を容易に位置合わせして軸筒に挿着することができ、また同一線上で軸筒のリブにグリップ部材の溝部が嵌挿されると共に軸筒の凸部にグリップ部材の凹部が係合可能となる。また溝部が位置するグリップ部材の外周に周囲の肉厚と略同等の肉厚となるように凸線条が形成されるので指の当たりも違和感が無く、グリップ部材の位置合わせの目印と、デザイン性の強調に効果がある。
また、軸筒の鍔部後端にグリップ部材の段部が当接した状態で軸筒の握り部に対してグリップ部材が抜け止め状態に固定可能となる。
そして、グリップ部材の外形が異形であったり、グリップ部材の外面に飾りや模様、文字表示などあった場合でも軸筒へのグリップ部材の挿着や位置あわせが容易であり、弾性筒体の指の当たりが堅いという不具合のない筆記具のグリップ取付け構造が提供可能となる。また、その他筆記具要素の組立性の向上やデザイン性の強調に効果がある。
【発明を実施するための最良の形態】
【０００８】
本発明は、ボールペン、シャープペンシル、サインペンなど、一般的な筆記具に適用可能となるものである。以下、図面に基づき本発明の一実施例について説明する。
【０００９】
先ず、図１及び図２に示す実施例は先軸４の先端から筆記先端部を出没可能とするノック式のボールペンで示されている。
また、図３及び図４にはクリップの固定構造が示されている。
【００１０】
クリップ６は、プレス加工等により形成される函型の金属製で、クリップ片６ａの前端内面側に玉部６ｃを有し、後端に基部６ｄを有している。クリップ片６ａの上面には後方から前方に懸けて窓部６ｂが設けられると共にその窓部６ｂの後端に後方に向かって切欠部が形成され、その切欠部の両側周面に係止凹凸部が形成されて基部６ｄが設けられている。係止凹凸部は、前方に傾斜面、後方に段部を有した例えば鋸刃状の係止部が一箇所以上で形成されてなる。尚、クリップ６が薄肉の金属板をプレス加工して形成され、基部６ｄの弾性変形が期待できる場合には相互に設けられた係止凹凸部が噛合うように係合することが望ましいが、クリップ６が圧肉であったり、剛性が高い場合にはクリップの係止凹凸部が後軸の係合溝に過度の変形を与えるのを避けることが望ましい場合もある。また、相互に設けられた係止凹凸部の高低差を微小にして多数設け、係合精度を上げるなどが配慮される。一方、後軸３は、後方に天冠部３ａと前方に筒部３ｄが形成されてなり、天冠部３ａの側面には外方に突出した取付け部３ｂが設けられ、その取付け部３ｂの両側に係合溝が３ｃが形成されている。この係合溝３ｃは前記クリップの基部６ｄに形成された係止凹凸部に迎合した形状の係止凹凸部が設けられている。また、取付け部３ｂの前方には適宜長さの庇状の張出し部３ｅが形成されている。
また、筒部３ｄは、天冠部３ｄの前端に適宜湾曲面を有した段部３ｇが形成され、その前方にやや小径となって設けられている。また、筒部３ｄの外面には取付け部３ｂと同一線上で係止突起３ｆが形成され、更に筒部の前端面が傾斜になっている。
尚、実施例に於いては、後軸３内に筆記先端部を先軸４先端から筆記先端部を出没可能に係止するノック機構部が設けられている。
【００１１】
実施例のクリップ固定構造は以上のように構成されており、クリップ６を前方に摺動して、クリップの係止凹凸部を後軸の取付け部３ｂの係合溝３ｃに係止する際に、係止凹凸部と取付け部の何れかあるいは双方に導入部が形成されることで係合を容易に開始することができる。また、クリップの係止凹凸部は前方に傾斜面、後方に段部を有した例えば鋸刃状の係止部が形成されるので、相互の傾斜面による弾性変形効果によって係合溝の係止凹凸部がむしられることが防止可能となり、段部の食いつきによって相互間が強固に固定可能となる。また、取付け部の張出し部３ｅがクリップの窓部６ｂに添って適宜長さで設けられることによって、斬新なデザイン性が強調されると共に、張り出し部の下部とクリップ上面との間にタグやメモを記した小片などを挟着しておくことやクリップを胸ポケット等に挟んで筆記具を携帯する時に名札等を挟むなどが可能となる。
【００１２】
また、図５乃至図８には軸筒２が示されている。
図に示すように、軸筒２は後軸部２ａと前軸部２ｂとからなり、後軸部２ａの略後端の側面に係止窓部２ｇが穿設され、その後方の軸内面に回転止め用の溝２ｉが形成され、後端２ｈは適宜な湾曲面となっている。後軸部２ａの前端は段部２ｃを有して前方がやや小径となった前軸部（握り部）２ｂとなっている。段部２ｃの一箇所で前軸部側に後端末広がり状の凸部２ｄが形成され、その凸部２ｄと同一線上で前方に向かって前軸部２ｂの軸面にリブ２ｅが形成されて、更にリブ２ｅの前端に適宜間隔を設けて周状の鍔部２ｆが形成され、その鍔部２ｆの前方部外周に螺子部が形成されてなる。
尚、前記間隔は必ずしも必要としない。また、実施例では係止窓部２ｇも凸部２ｄと同一線上に設けられているがこれも必ずしも必要としない。
【００１３】
後軸部２ａの後端孔には上述した後軸３が挿入され、前記係止窓部２９に係止突起３ｆが係止して軸筒２に対して後軸３が固定される。また、係止突起３ｆの後部に突部３ｈを形成して軸筒後方の軸内面に設けた回転止め用の溝２ｉに係合し、軸筒２に対する回転止め効果を上げることができる。また更に、軸筒の後端２ｈと後軸の段部３ｇが湾曲面上で当接することによって、デザイン性が強調されると共に軸筒２に対する回転止め効果を一層上げることができる。（尚、前記回転止め手段をすべて設ける必然性はない。）
尚、後軸の筒部３ｄの前端面が傾斜になっているので、後軸部２ａの後端孔にスムーズ挿入することが可能である。また、軸筒２が透明な筒体で設けられた時に、デザイン性が強調できる効果がある。
【００１４】
また、図９乃至図１３にはグリップ部材５が示されている。
グリップ部材５は、シリコンゴムやＥＰＤＭ、ＮＢＲなどの軟質材料からなり、後端の一箇所に切欠状の凹部５ｄが形成され、その凹部５ｄの前方に向かって内孔周面の外方に溝部５ｂが形成されると共に、溝部５ｂが位置するグリップ部材の外周に周囲の肉厚と略同等の肉厚となるように凸線条５ｅが形成され、溝部５ｂの前端に適宜間隔を開けて内孔を適宜拡径し、グリップ部材５の前端近傍の内孔に段部５ｃが形成されてなる。
尚、前記間隔は必ずしも必要としない。
【００１５】
軸筒の前軸部２ｂ（握り部）後端の凸部２ｄに対してグリップ部材５の凹部５ｄを合わせた状態でグリップ部材５を軸筒２に挿着し、軸筒２のリブ２ｅにグリップ部材５の溝部５ｂが嵌挿されると共に軸筒２の凸部２ｄにグリップ部材５の凹部５ｄが係合し、更に軸筒２の鍔部２ｆ後端にグリップ部材５の段部５ｃが当接した状態で軸筒の前軸部２ｂ（握り部）に対してグリップ部材５が軸筒２に対して回転止め且つ抜け止め状態に固定可能となる。
【００１６】
以上で、軸筒２内にボールペンリフィールが搭載され、グリップ部材の前端に略当接した状態で軸筒２前端に先軸４が螺合により固定される。尚、先軸４のテーパー状外面には所要箇所で溝部４ａが形成されており、先軸４が緩まないように強く締めることも、また強く締め込まれても容易に緩めることが可能となる。
【図面の簡単な説明】
【００１７】
【図１】実施形態である本発明の筆記具のグリップ取付け構造を適用したノック式ボールペンの全体を示す半断面図である。
【図２】ノック式ボールペンの全体を上部より見た図である。
【図３】実施形態である筆記具のクリップ固定構造を拡大して示した要部断面の正面図である。
【図４】図３を上面から見た頭である。
【図５】軸筒の断面図である。
【図６】軸筒の上面図である。
【図７】図５上端側の側面図である。
【図８】図５のＡ−Ａ断面図である。
【図９】グリップ部材の断面図である。
【図１０】グリップ部材の上面図である。
【図１１】グリップ部材の正面図である。
【図１２】図１０上端側の側面図である。
【図１３】図１０下端側の側面図である。
【符号の説明】
【００１８】
１      筆記具
２      軸筒
２ａ    後軸部
２ｂ    前軸部（握り部）
２ｃ    段部
２ｄ    凸部
２ｅ    リブ
２ｆ    鍔部
２ｇ    係止窓部
２ｈ    後端
２ｉ    回転止め用の溝
３      後軸
３ａ    天冠部
３ｂ    取付け部
３ｃ    係合溝
３ｄ    筒部
３ｅ    張出し部
３ｆ    係止突起
３ｇ    段部
３ｈ    突部
４      先軸
４ａ    溝部
５      グリップ部材
５ａ    内孔
５ｂ    溝部
５ｃ    段部
５ｄ    凹部
５ｅ    凸線条
５ｆ    凸線条の稜線
５ｇ    ディンプル
６      クリップ
６ａ    クリップ片
６ｂ    窓部
６ｃ    玉部
６ｄ    基部
【図１】
2005074816.tif 000003
【図２】
2005074816.tif 000004
【図３】
2005074816.tif 000005
【図４】
2005074816.tif 000006
【図５】
2005074816.tif 000007
【図６】
2005074816.tif 000008
【図７】
2005074816.tif 000009
【図８】
2005074816.tif 000010
【図９】
2005074816.tif 000011
【図１０】
2005074816.tif 000012
【図１１】
2005074816.tif 000013
【図１２】
2005074816.tif 000014
【図１３】
2005074816.tif 000015